(57)【要約】【課題】コードのよじれ、断線などを防止できる電子機器を提供する。【解決手段】イヤホン１は、イヤホン本体２と、イヤホン本体２を耳に配置する耳掛け部３と、イヤホン本体２と耳掛け部３とを連結する連結部材４と、を備えている。上記連結部材４は、ジョイントボール型であり、イヤホン本体２を耳掛け部３に対して当該イヤホン本体２の中心軸Ｚ周りに回転可能に連結すると共に、イヤホン本体２の回転範囲を規制する。【選択図】図３
2014041610.tif 000002
【特許請求の範囲】
【請求項１】
イヤホン本体と、
前記イヤホン本体を耳に配置する装着部材と、
前記イヤホン本体と前記装着部材とを連結する連結部材と、を備え、
前記連結部材が、前記イヤホン本体を前記装着部材に対して当該イヤホン本体の中心軸周りに回転可能に連結すると共に、前記イヤホン本体の回転範囲を規制する
ことを特徴とする電子機器。
【請求項２】
前記連結部材は、前記イヤホン本体の回転範囲を規制する回転止め部を備えている
ことを特徴とする請求項１に記載の電子機器。
【請求項３】
前記連結部材は、回転部材と、前記回転部材を収容する収容部材と、当該回転部材から突出する突出部と、を備え、
前記収容部材は、前記回転部材を前記イヤホン本体の軸周りで回転可能に収容し、
前記突出部は、前記収容部材の開口部を通っており、
前記突出部の端部が、前記イヤホン本体又は前記装着部材の一方に連結し、
前記収容部材が、前記イヤホン本体又は前記装着部材の他方に連結し、
前記収容部材の開口部内に配置された前記イヤホン本体又は前記装着部材の一方が、前記回転止め部である前記収容部材の開口部の内壁に当接する
ことを特徴とする請求項２に記載の電子機器。
【請求項４】
前記収容部材の開口部は、長尺状に形成されている
ことを特徴とする請求項３に記載の電子機器。
【請求項５】
前記イヤホン本体が、スピーカユニットと、筐体と、を備え、
前記筐体の側面には、耳介接触部が突設されている
ことを特徴とする請求項３に記載の電子機器。
【請求項６】
前記耳介接触部は、前記イヤホン本体の中心軸周りに回転する
ことを特徴とする請求項５に記載の電子機器。
【請求項７】
前記連結部材が、ジョイントボール型の連結部材であり、
前記イヤホン本体が、前記装着部材に対して回動可能である
ことを特徴とする請求項１に記載の電子機器。
【請求項８】
前記連結部材は、球状の回転部材と、前記回転部材を収容する収容部材と、当該回転部材から突出する突出部と、を備え、
前記突出部は、前記収容部材の開口部を通っており、
突出部は、前記イヤホン本体又は前記装着部材の一方に連結し、
前記収容部材が、前記イヤホン本体又は前記装着部材の他方に連結し、
前記収容部材の開口部内に配置された前記イヤホン本体又は前記装着部材の一方が、前記収容部材の開口部内壁に当接する
ことを特徴とする請求項７に記載の電子機器。
【請求項９】
前記イヤホン本体が、スピーカユニットと、筐体とを備え、
前記筐体が、前記突出部と連結している
ことを特徴とする請求項８に記載の電子機器。
【請求項１０】
前記収容部材の外面は、球状の凸面であり、
前記収容部材の凸面に対向する前記筐体の面は、球状の凹面である
ことを特徴とする請求項９に記載の電子機器。
【請求項１１】
前記筐体は、開口部を備え、
前記突出部は、前記筐体の開口部に挿入されている
ことを特徴とする請求項１０に記載の電子機器。
【請求項１２】
前記収容部材の開口部は、長尺状に形成されている
ことを特徴とする請求項１１に記載の電子機器。
【発明の詳細な説明】
【技術分野】
【０００１】
本発明は、例えば、頭部に装着され、前記イヤホン本体を耳に配置する装着部材と、を備えた電子機器に関するものである。
【背景技術】
【０００２】
従来、コードブッシュ部に対して回動可能にイヤホン本体が取り付けることにより、使用者の耳の形状の個人差に対して正確に装着することができるようにしたヘッドホン装置が提案されている（特許文献１）。【０００３】
しかしながら、上述した従来のヘッドホン装置は、イヤホン本体がコードブッシュ部に対して制限なく回転できる。このため、イヤホン本体を制限なく回転させるとイヤホン本体及びコードブッシュ部内に通されたコードがよじれて断線を招く、という問題があった。
【先行技術文献】
【特許文献】
【０００４】
【特許文献１】特開２０１１−７７７６２号公報
【発明の概要】
【発明が解決しようとする課題】
【０００５】
本発明は、このような問題点に対処することを課題の一例とするものである。即ち、本発明は、例えば、コードのよじれ、断線などを防止できる電子機器を提供することを目的としている。
【課題を解決するための手段】
【０００６】
上記課題を解決するために、請求項１に記載の電子機器は、イヤホン本体と、前記イヤホン本体を耳に配置する装着部材と、前記イヤホン本体と前記装着部材とを連結する連結部材と、を備え、前記連結部材が、前記イヤホン本体を前記装着部材に対して当該イヤホン本体の中心軸周りに回転可能に連結すると共に、前記イヤホン本体の回転範囲を規制することを特徴とする。
【図面の簡単な説明】
【０００７】
【図１】本発明の電子機器としてのイヤホンの一実施形態を示す斜視図である。
【図２】図１に示すイヤホンを矢印Ｙ１から見た斜視図である。
【図３】図１に示すイヤホン本体の回動、回転について説明するための図である。
【図４】図１に示すイヤホンの分解斜視図である。
【図５】図４に示すイヤホンを矢印Ｙ２から見た分解斜視図である。
【図６】図１に示すイヤホン本体及び連結部材の断面図である。
【図７】図４に示す連結部材の斜視図である。
【図８】図４に示す連結部材の正面図である。
【図９】図５に示す下ハウジングの拡大斜視図である。
【図１０】耳にイヤホン本体を挿入したときの概略図である。
【発明を実施するための形態】
【０００８】
以下、本発明の一実施形態にかかる電子機器を説明する。本発明の一実施形態にかかる電子機器は、イヤホン本体と、イヤホン本体を耳に配置する装着部材と、イヤホン本体と装着部材とを連結する連結部材と、を備え、連結部材が、イヤホン本体を装着部材に対して当該イヤホン本体の中心軸周りに回転可能に連結すると共に、イヤホン本体の回転範囲を規制する。このように、連結部材によりイヤホン本体の回転範囲を規制することにより、コードのよじれ、断線等を防止できる。
【０００９】
また、連結部材は、イヤホン本体の回転範囲を規制する回転止め部を備えている。これにより、連結部材に設けた回転止め部により、イヤホン本体の回転範囲を規制することができる。
【００１０】
また、連結部材は、回転部材と、回転部材を収容する収容部材と、当該回転部材から突出する突出部と、を備え、収容部材は、回転部材をイヤホン本体の軸周りで回転可能に収容し、突出部は、収容部材の開口部を通っており、突出部の端部が、イヤホン本体又は装着部材の一方に連結し、収容部材が、イヤホン本体又は装着部材の他方に連結し、収容部材の開口部内に配置されたイヤホン本体又は装着部材の一方が、回転止め部である収容部材の開口部の内壁に当接するされていてもよい。これにより、イヤホン本体を回転させて回転範囲を超えようとすると、突出部若しくはイヤホン本体又は装着部材の一方が、収容部材の開口部内壁に当接してそれ以上回転できないようになる。
【００１１】
また、収容部材の開口部は、長尺状に形成されていてもよい。これにより、確実に収容部材の開口部内に配置されたイヤホン本体又は装着部材の一方、若しくは、突出部が、収容部材の開口部の内壁に当接する。
【００１２】
また、イヤホン本体が、スピーカユニットと、筐体と、を備え、筐体の側面には、耳介接触部が突設されていてもよい。これにより、耳介接触部も装着部材に対して回転して、ユーザ個々の耳に耳介接触部をフィットでき、耳に対する密閉性を向上させることができる。
【００１３】
また、耳介接触部は、イヤホン本体の中心軸周りに回転する。
【００１４】
また、連結部材が、ジョイントボール型の連結部材であり、イヤホン本体が、装着部材に対して回動可能であってもよい。これにより、イヤホン本体が装着部材に対して回転するだけでなく、回動するため、より一層ユーザ個々の耳にイヤホン本体をフィットさせることができる。
【００１５】
また、連結部材は、球状の回転部材と、回転部材を収容する収容部材と、当該回転部材から突出する突出部と、を備え、突出部が、前記収容部材の開口部を通っており、突出部は、イヤホン本体又は装着部材の一方に連結し、収容部材が、イヤホン本体又は装着部材の他方に連結し、収容部材の開口部内に配置されたイヤホン本体又は装着部材の一方、が、収容部材の開口部内壁に当接していてもよい。これにより、イヤホン本体を回転させて回転範囲を超えようとすると、突出部若しくはイヤホン本体又は装着部材の一方が、収容部材の開口部の内壁に当接してそれ以上回転できないようになる。また、突出部若しくはイヤホン本体又は装着部材の一方が収容部材の開口部に収容されているため、突出部若しくはイヤホン本体又は装着部材の一方が収容部材の開口部の内壁に当接して、回転範囲も規制できる。
【００１６】
また、イヤホン本体が、スピーカユニットと、筐体とを備え、筐体が、突出部と連結していてもよい。
【００１７】
また、収容部材の外面は、球状の凸面であり、収容部材の凸面に対向する筐体の面は、球状の凹面であってもよい。これにより、収容部材の外面を筐体に設けた凹面に嵌め込むことができ、収容部材とイヤホン本体とを接近配置して、イヤホン本体と装着部材とを接近配置することができる。このため、頭部から電子機器が脱落することを抑止できる。
【００１８】
また、筐体は、開口部を備え、突出部は、筐体の開口部に挿入されていてもよい。
【００１９】
また、収容部材の開口部は、長尺状に形成されていてもよい。これにより、確実に収容部材の開口部内に配置されたイヤホン本体又は装着部材の一方、若しくは、突出部が、収容部材の開口部内壁に当接する。
【実施例】
【００２０】
以下、本発明の電子機器としてのイヤホンの一実施例を図１〜図１０に基づいて説明する。図１に示すように、イヤホン１は、人の耳に挿入されるイヤホン本体２と、耳の付け根に装着され、イヤホン本体２を耳に配置する装着部材としての耳掛け部３と、イヤホン本体２と耳掛け部３とを連結する連結部材４と、を備えている。上述したイヤホン本体２は、図３（Ａ）及び（Ｂ）に示すように、耳掛け部３に対して連結部材４を支点として任意の方向に回動すると共に、図３（Ｃ）に示すように、イヤホン本体２の中心軸Ｚ周りに回転可能に設けられている。【００２１】
まず、耳掛け部３の構成について説明する。耳掛け部３は、図１などに示すように、耳の付け根に引っ掛けられるような略円弧状に設けられ、その一端部からコード５が引き出されている。耳掛け部３は、図６などに示すように、耳掛け本体３１と、耳掛け本体３１を覆うケース本体３２と、ケース本体３２の開口を覆うカバー３３と、を備えている。耳掛け本体３１は、例えば略円弧状の平板で構成されていて、その他端部に後述する連結部材４が設けられている。ケース本体３２も略円弧状に構成され、耳掛け本体３１を覆っている。このケース本体３２の他端部のイヤホン本体２側には、開口が設けられ、その開口から連結部材４が露出している。また、ケース本体３２の他端部のイヤホン本体２から離れた側にも開口が設けられ、その開口はカバー３３により覆われている。【００２２】
上記連結部材４は、図６に示すように、球状の回転部材としてのジョイントボール４１と、ジョイントボール４１を任意方向に回動可能に収容する収容部材４２と、ジョイントボール４１に取り付けられた突出部としてのネジ４３と、を備えている。上記ジョイントボール４１には、ネジ４３がその中心を通るように貫通されていて、ネジ４３の先端部がジョイントボール４１から突出している。上記収容部材４２は、上述した耳掛け本体３１に一体成型されて連結され、耳掛け本体３１をイヤホン本体２に向けて凹ませたような形状に設けられている。この収容部材４２は、その外面がイヤホン本体２に向かう球状の凸面に設けられ、内面がイヤホン本体２に向かう球状の凹面に設けられている。【００２３】
この収容部材４２には、図７及び図８などに示すように、開口部４２Ａが設けられ、ジョイントボール４１に取り付けられたネジ４３の先端部が開口部４２Ａを通って収容部材４２外部に突出している。上記開口部４２Ａは、上述したように略長方形状の長尺状に設けられていて、その短辺は外側に膨らんで設けられ、その長辺中央も外側に膨らんでもうけられている。ジョイントボール４１のネジ４３が突出している周辺には、後述するイヤホン本体２に設けた取付部２４Ｄの先端部が嵌め込まれる凹部４１Ａが形成されている。また、ジョイントボール４１は、ケース本体３２に設けた開口から収容部材４２内に収容され、その後、その開口を覆うようにカバー３３が取り付けられる。【００２４】
上記イヤホン本体２は、図４及び図５に示すように、音を生じるスピーカユニット２１（図６）と、スピーカユニット２１を収容するハウジング２２（筐体）と、耳挿入部２３と、を備えている。スピーカユニット２１は、振動板と磁気回路などから成る周知のスピーカである。上記ハウジング２２は、連結部材４に連結される下ハウジング２４（第２のハウジング）と、スピーカユニット２１を収容する上ハウジング２５（第１のハウジング）と、から構成されている。【００２５】
下ハウジング２４は、底部２４Ａと、底部２４Ａの外周部から立設された筒状部２４Ｂと、から構成された受皿状に形成されている。底部２４Ａは、上記収容部材４２の凸面に対向する面に半球状の凹面２４Ｃが設けられている。そして、図６に示すように、収容部材４２は、下ハウジング２４の底部２４Ａに設けた凹面２４Ｃに嵌め込まれる。また、この底部２４Ａには、耳掛け部３に向かって突出する取付部２４Ｄが設けられている。【００２６】
この取付部２４Ｄは、底部２４Ａの凹面２４Ｃから連結部材４に向かって突出している。取付部２４Ｄは、図９に示すように、ジョイントボール４１から突出したネジ４３の先端が挿入される挿入軸２４Ｅと、この挿入軸２４Ｅ側面から外側へ突出する一対の当接部２４Ｆと、から構成されている。挿入軸２４Ｅは、柱状（円柱状を含む）に設けられ、その軸に沿って貫通し、下ハウジング２４内に連通する開口部が設けられている。【００２７】
また、一対の当接部２４Ｆは、挿入軸２４Ｅの側面から互いに離間する方向に突出した板状に設けられ、その厚さは挿入軸２４Ｅの直径よりも小さく設けられている。上記挿入軸２４Ｅの開口部にネジ４３の先端部を圧入するとともに、取付部２４Ｄの先端をジョイントボール４１に設けた凹部４１Ａに嵌め込むことにより、下ハウジング２４と連結部材４とが連結される。また、一対の当接部２４Ｆを設けることにより取付部２４Ｄも全体として長尺状に設けられ、その長手方向の幅Ｗ１が、同様に長尺状の開口部４２Ａの短手方向の幅Ｗ２（図８）よりも長く設けられている。【００２８】
上記筒状部２４Ｂには、図４及び図５に示すように、イヤーホルダ２４Ｇが突設されている。このイヤーホルダ２４Ｇは、図１０に示すように、耳６のくぼみに引っ掛けて、イヤホン本体２を耳６にフィットさせ、外れないようにするために設けられたものである。筒状部２４Ｂ外面の底部２４Ａから離れた側の端部には、図４及び図５に示すように、後述する上ハウジング２５を取り付けるためのねじ切り２４Ｈが設けられている。【００２９】
上ハウジング２５は、図５及び図６に示すように、略筒状に設けられ、径（太さ）が大きい大径部２５Ａと、径（太さ）が小さい小径部２５Ｂと、が連なって設けられている。図６に示すように、この大径部２５Ａにスピーカユニット２１が収容されている。また、図５及び図６に示すように、この大径部２５Ａの耳掛け部３側の端部には、下ハウジング２４を取り付けるためのねじ切り２５Ｃが設けられている。この下ハウジング２４に設けたネジ切り２４Ｈと上ハウジング２５に設けたねじ切り２５Ｃとを螺合させることにより、下ハウジング２４と上ハウジング２５とを組み付けることができる。【００３０】
上記耳挿入部２３は、図５などに示すように、シリコーンなどで構成されていて、上ハウジング２５の小径部２５Ｂに取り付けられる取付部２３Ａと、取付部２３Ａを囲み外耳道に挿入される挿入部２３Ｂと、から構成される周知の耳挿入部である。【００３１】
また、上述した耳掛け部３の一端部に取り付けられたコード５内の導線は、耳掛け部３、図６に示す連結部材４とカバー３３との隙間、連結部材４を通ってハウジング２２に引き出され、スピーカユニット２１に接続される。【００３２】
次に、上述した構成のイヤホン１の動きについて、説明する。上述したように耳掛け部３の耳掛け本体３１には、ジョイントボール４１を収容する収容部材４２が一体に設けられ、ジョイントボール４１から収容部材４２外部に突出したネジ４３の先端部にイヤホン本体２の取付部２４Ｄが取り付けられている。ジョイントボール４１は、上述したように収容部材４２内に任意方向に回転可能に収容されているため、イヤホン本体２は、図３（Ａ）及び（Ｂ）に示すように、ジョイントボール４１を支点として任意の方向に回動する。ただし、イヤホン本体２から突出した取付部２４Ｄが、収容部材４２の開口部４２Ａ内に挿入されているため、取付部２４Ｄと収容部材４２とが当接する位置を越えて回動できない。即ち、イヤホン本体２の回動範囲は、収容部材４２の開口部４２Ａの大きさ、形状によって定められている。【００３３】
また、ジョイントボール４１は、上述したように収容部材４２内に任意方向に回転可能に収容されているため、イヤホン本体２は、図３（Ｃ）に示すように、イヤホン本体２の中心軸Ｚ周りに回転する。ただし、イヤホン本体２から突出した取付部２４Ｄが、収容部材４２の開口部４２Ａ内に挿入され、開口部４２Ａが長尺状に形成されているため、図８に示すように、回転範囲θの一端までイヤホン本体２を図中反時計回りに回転させると、当接部２４Ｆが収容部材４２の開口部４２Ａの右上、左下の内壁と当接して、それ以上回転しない。一方、回転範囲θの他端までイヤホン本体２を図中時計回りに回転させると、当接部２４Ｆが収容部材４２の開口部４２Ａの右下、左上の内壁と当接して、それ以上回転しない。即ち、イヤホン本体２の回転範囲θは、収容部材４２の開口部４２Ａの大きさ、形状によって定められている。【００３４】
上述した実施例によれば、連結部材４が、イヤホン本体２を耳掛け部３に対して当該イヤホン本体２の中心軸Ｚ周りに回転可能に連結すると共に、イヤホン本体２の回転範囲を規制する。このように、連結部材４によりイヤホン本体２の回転範囲を規制することにより、コード５のよじれ、断線等を防止できる。【００３５】
また、上述した実施例によれば、連結部材４は、イヤホン本体２の回転範囲を規制する回転止め部としての収容部材４２の開口部４２Ａの内壁を備えている。これにより、連結部材４に設けた収容部材４２の開口部４２Ａ内壁により、イヤホン本体２の回転範囲を規制することができる。【００３６】
また、上述した実施例によれば、連結部材４は、ジョイントボール４１と、ジョイントボール４１を任意方向に回転可能に収容する収容部材４２と、当該ジョイントボール４１から収容部材４２の開口部４２Ａを通って収容部材４２外部に突出するネジ４３と、を備え、収容部材４２外部に突出したネジ４３が、イヤホン本体２に連結し、収容部材４２が、耳掛け部３に連結し、収容部材４２の開口部４２Ａ内に配置されたイヤホン本体２の取付部２４Ｄが、回転止め部である収容部材４２の開口部４２Ａ内壁に当接して回転範囲が規制されている。これにより、イヤホン本体２を中心軸Ｚ周りに回転して回転範囲を超えようとすると、イヤホン本体２の当接部２４Ｆが、収容部材４２の開口部４２Ａ内壁に当接してそれ以上回転できないようになる。また、イヤホン本体２の取付部２４Ｄが収容部材４２の開口部４２Ａに収容されているため、イヤホン本体２の取付部２４Ｄが収容部材４２の開口部４２Ａ内壁に当接して、連結部材４を支点としたイヤホン本体２の回動範囲も規制できる。【００３７】
また、上述した実施例によれば、収容部材４２の開口部４２Ａは、長尺状に形成されている。これにより、確実にイヤホン本体２に設けた当接部２４Ｆが、収容部材４２の開口部４２Ａ内壁に当接する。【００３８】
また、上述した実施例によれば、収容部材４２は、外面が球状の凸面に設けられ、下ハウジング２４は、収容部材４２の凸の外面に対向する面が球状の凹面２４Ｃに設けられている。これにより、収容部材４２の外面を下ハウジング２４に設けた凹面２４Ｃに嵌め込むことができ、収容部材４２とイヤホン本体２とを接近配置して、イヤホン本体２と耳掛け部３を接近配置することができる。このため、耳からイヤホン１が脱落することを抑止できる。【００３９】
なお、上述した実施例によれば、回転部材として球状のジョイントボール４１を用いて、収容部材４２内で任意方向に回転可能に設けていたが、本発明はこれに限ったものではない。回転部材としては、断面円形であればよく、例えば円柱状に設けて収容部材４２内で中心軸Ｚ周りだけ回転可能に設けても良い。この場合、実施例のように連結部材４を支点としてイヤホン本体２を回動させることはできなくなるが、中心軸Ｚ周りに回転させることはできる。【００４０】
また、上述した実施例によれば、イヤホン本体２の取付部２４Ｄを収容部材４２の開口部４２Ａに挿入し、取付部２４Ｄと開口部４２Ａ内壁とが当接して、イヤホン本体２の回転範囲及び回動範囲を規制していたが、本発明はこれに限ったものではない。取付部２４Ｄは、収容部材４２の開口部４２Ａ内に挿入されていなくてもよい。この場合、ネジ４３が開口部４２Ａ内壁と当接して、イヤホン本体２の回転範囲及び回動範囲が規制される。【００４１】
また、上述した実施例によれば、耳掛け部３に収容部材４２が一体形成され、収容部材４２外部に突出したネジ４３が、イヤホン本体２に連結されていたが、本発明はこれに限ったものではない。例えば、イヤホン本体２に収容部材４２を一体形成し、収容部材４２から突出したネジ４３を耳掛け部３に連結させてもよい。この場合、耳掛け部３の一部を開口部４２Ａ内に挿入すれば、挿入された耳掛け部３の一部が開口部４２Ａ内壁に当接して、イヤホン本体２の回転・回動範囲を規制することができる。また、上述したように耳掛け部３の一部を開口部４２Ａ内に挿入しなかった場合は、ネジ４３が開口部４２Ａに当接して、イヤホン本体２の回転・回動範囲を規制することができる。【００４２】
また、上述した実施例によれば、ジョイントボール４１から突出させるネジ４３を一つ設け、取付部２４Ｄがネジ４３を挿入する１つの挿入軸２４Ｅと挿入軸２４Ｅの側面から突出する２つの当接部２４Ｆから構成されていたが、本発明はこれに限ったものではない。例えばジョイントボール４１から複数のネジ４３を突出させ、取付部２４Ｄに複数の挿入軸２４Ｅを設けるようにしてもよい。この場合、複数の挿入軸２４Ｅが開口部４２Ａ内壁と当接して、イヤホン本体２の回転・回動範囲が規制される。【００４３】
また、上述した実施例によれば、連結部材４はジョイントボール４１から構成されていたが、本発明はこれに限ったものではない。例えば、連結部材４としてゴムなどの弾性部材を用いることにより、イヤホン本体２を耳掛け部３に対して回動・回転可能に設けても良い。この場合、連結部材４に弾性があるためセルフセンタリング効果（フラフラ動かない）が期待できるとともに、構造が簡単になる。【００４４】
また、上述した実施例によれば、収容部材４２の開口部４２Ａは、矩形の長尺状に設けられていたが、本発明はこれに限ったものではない。開口部４２Ａとしては、長尺状に設けられていればよく、矩形でなくてもよい。【００４５】
また、上述した実施例によれば、スピーカユニット２１は、ハウジング２２内に挿入されていたが、本発明はこれに限ったものではない。スピーカユニット２１は、ハウジング２２に取り付けられた音導管内に設けられていても良い。【００４６】
また、上述した実施例によれば、イヤーホルダ２４Ｇが設けられていたが、本発明はこれに限ったものではない。イヤーホルダ２４Ｇは設けなくても良い。【００４７】
また、上述した実施例によれば、突出部としてネジ４３を用いていたが、本発明はこれに限ったものではない。突出部としては、ジョイントボール４１から突出していればよく、例えばジョイントボール４１と一体に成型されていてもよい。【００４８】
また、上述した実施例としては、装着部材として、耳掛け部３を用いていたが、本発明はこれに限ったものではない。装着部材としては、頭部、すなわち首より上の部分に装着するものであればよく、例えば、後頭部やあごなどに装着するバンドであってもよい。【００４９】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００５０】
１  イヤホン（電子機器）
２  イヤホン本体
３  耳掛け部（装着部材）
４  連結部材
２１  スピーカユニット
２２  ハウジング（筐体）
２４Ｃ  凹面
２４Ｇ  イヤーホルダ（耳介接触部）
４１  ジョイントボール（回転部材）
４２  収容部材
４２Ａ  開口部(回転止め部)
４３  ネジ（突出部）
Ｚ  中心軸
【図１】
2014041610.tif 000003
【図２】
2014041610.tif 000004
【図３】
2014041610.tif 000005
【図４】
2014041610.tif 000006
【図５】
2014041610.tif 000007
【図６】
2014041610.tif 000008
【図７】
2014041610.tif 000009
【図８】
2014041610.tif 000010
【図９】
2014041610.tif 000011
【図１０】
2014041610.tif 000012
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
イヤホン本体と、
前記イヤホン本体を耳に配置する装着部材と、
前記イヤホン本体と前記装着部材とを連結する連結部材と、を備え、
前記連結部材が、前記イヤホン本体を前記装着部材に対して当該イヤホン本体の中心軸周りに回転可能に連結すると共に、前記イヤホン本体の回転範囲を規制する
ことを特徴とする電子機器。
【請求項２】
前記連結部材は、前記イヤホン本体の回転範囲を規制する回転止め部を備えている
ことを特徴とする請求項１に記載の電子機器。
【請求項３】
前記連結部材は、回転部材と、前記回転部材を収容する収容部材と、当該回転部材から突出する突出部と、を備え、
前記収容部材は、前記回転部材を前記イヤホン本体の軸周りで回転可能に収容し、
前記突出部は、前記収容部材の開口部を通っており、
前記突出部の端部が、前記イヤホン本体又は前記装着部材の一方に連結し、
前記収容部材が、前記イヤホン本体又は前記装着部材の他方に連結し、
前記収容部材の開口部内に配置された前記イヤホン本体又は前記装着部材の一方が、前記回転止め部である前記収容部材の開口部の内壁に当接する
ことを特徴とする請求項２に記載の電子機器。
【請求項４】
前記収容部材の開口部は、長尺状に形成されている
ことを特徴とする請求項３に記載の電子機器。
【請求項５】
前記イヤホン本体が、スピーカユニットと、筐体と、を備え、
前記筐体の側面には、耳介接触部が突設されている
ことを特徴とする請求項１〜４のいずれか１項に記載の電子機器。
【請求項６】
前記耳介接触部は、前記イヤホン本体の中心軸周りに回転する
ことを特徴とする請求項５に記載の電子機器。
【請求項７】
前記連結部材が、ジョイントボール型の連結部材であり、
前記イヤホン本体が、前記装着部材に対して回動可能である
ことを特徴とする請求項１〜６のいずれか１項に記載の電子機器。
【請求項８】
前記連結部材は、球状の回転部材と、前記回転部材を収容する収容部材と、当該回転部材から突出する突出部と、を備え、
前記突出部は、前記収容部材の開口部を通っており、
突出部は、前記イヤホン本体又は前記装着部材の一方に連結し、
前記収容部材が、前記イヤホン本体又は前記装着部材の他方に連結し、
前記収容部材の開口部内に配置された前記イヤホン本体又は前記装着部材の一方が、前記収容部材の開口部内壁に当接する
ことを特徴とする請求項７に記載の電子機器。
【請求項９】
前記イヤホン本体が、スピーカユニットと、筐体とを備え、
前記筐体が、前記突出部と連結している
ことを特徴とする請求項８に記載の電子機器。
【請求項１０】
前記収容部材の外面は、球状の凸面であり、
前記収容部材の凸面に対向する前記筐体の面は、球状の凹面である
ことを特徴とする請求項９に記載の電子機器。
【請求項１１】
前記筐体は、開口部を備え、
前記突出部は、前記筐体の開口部に挿入されている
ことを特徴とする請求項１０に記載の電子機器。
【請求項１２】
前記収容部材の開口部は、長尺状に形成されている
ことを特徴とする請求項１１に記載の電子機器。
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
イヤホン本体と、
前記イヤホン本体を耳に配置する装着部材と、
前記イヤホン本体と前記装着部材とを連結する連結部材とを備え、
前記連結部材が、前記イヤホン本体を前記装着部材に対して当該イヤホン本体の中心軸周りに回転可能に連結すると共に、前記イヤホン本体の回転範囲を規制する回転止め部を備え、
前記連結部材は、回転部材と、前記回転部材を収容する収容部材とを備え、
前記収容部材は、前記回転部材を前記イヤホン本体の軸周りで回転可能に収容し、
前記回転部材が、前記イヤホン本体又は前記装着部材の一方に連結し、
前記収容部材が、前記イヤホン本体又は前記装着部材の他方に連結し、
前記収容部材の開口部内に配置された前記イヤホン本体又は前記装着部材の一方が、前記回転止め部である前記収容部材の開口部の内壁に当接することを特徴とする電子機器。
【請求項２】
前記連結部材は、前記回転部材から突出する突出部を備え、
前記突出部は、前記収容部材の開口部を通っており、
前記突出部の端部が、前記イヤホン本体又は前記装着部材の一方に連結していることを特徴とする請求項１記載の電子機器。
【請求項３】
前記収容部材の開口部は、長尺状に形成されていることを特徴とする請求項１又は２記載の電子機器。
【請求項４】
前記イヤホン本体が、スピーカユニットと、筐体とを備え、前記筐体の側面には、耳介接触部が突設されていることを特徴とする請求項１〜３のいずれか１項に記載の電子機器。
【請求項５】
前記耳介接触部は、前記イヤホン本体の中心軸周りに回転することを特徴とする請求項４記載の電子機器。
【請求項６】
イヤホン本体と、
前記イヤホン本体を耳に配置する装着部材と、
前記イヤホン本体と前記装着部材とを連結する連結部材とを備え、
前記連結部材が、前記イヤホン本体を前記装着部材に対して当該イヤホン本体の中心軸周りに回転可能に連結すると共に、前記イヤホン本体の回転範囲を規制し、
前記連結部材が、ジョイントボール型の連結部材であり、球状の回転部材と、前記回転部材を収容する収容部材とを備え、
前記回転部材は、前記イヤホン本体又は前記装着部材の一方に連結し、
前記収容部材が、前記イヤホン本体又は前記装着部材の他方に連結し、
前記収容部材の開口部内に配置された前記イヤホン本体又は前記装着部材の一方が、前記収容部材の開口部内壁に当接することを特徴とする電子機器。
【請求項７】
前記連結部材が前記回転部材から突出する突出部を備え、
前記突出部は、前記収容部材の開口を通っており、前記イヤホン本体又は前記装着部材の一方に連結しており、
前記イヤホン本体が、スピーカユニットと、筐体とを備え、前記筐体が、前記突出部と連結していることを特徴とする請求項６記載の電子機器。
【請求項８】
前記収容部材の外面は、球状の凸面であり、
前記収容部材の凸面に対向する前記筐体の面は、球状の凹面であることを特徴とする請求項７記載の電子機器。
【請求項９】
前記筐体は、開口部を備え、
前記突出部は、前記筐体の開口部に挿入されていることを特徴とする請求項７記載の電子機器。
【請求項１０】
前記収容部材の開口部は、長尺状に形成されていることを特徴とする請求項９記載の電子機器。
【国際調査報告】
2014041610.tif 000013
2014041610.tif 000014
2014041610.tif 000015